【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
プレビュー画面を表示する表示制御手段と、
印刷ドキュメントの印刷設定情報を変更する印刷設定手段と、
を有し、
前記表示制御手段は、
前記プレビュー画面を介して第１印刷ドキュメントに関する第１情報が選択され、かつ、前記プレビュー画面を介して保存機能が選択された場合、前記第１印刷ドキュメントの印刷後に前記第１印刷ドキュメントに関する第１情報を前記プレビュー画面に表示させ、
前記プレビュー画面を介して前記第１情報が選択され、かつ、前記プレビュー画面を介して前記保存機能が選択されていない場合、前記第１印刷ドキュメントの印刷後に前記第１印刷ドキュメントに関する第１情報は前記プレビュー画面に表示されず、
前記第１情報と、前記第１印刷ドキュメントとは異なる第２印刷ドキュメントに関する第２情報とが前記プレビュー画面に含まれる場合、前記第１情報、又は前記第２情報から選択された情報に対応する印刷ドキュメントの印刷プレビュー画像を前記プレビュー画面に表示させ、
前記印刷設定手段は、
前記第１情報、又は前記第２情報の何れかが前記プレビュー画面にて選択され、かつ、印刷設定情報が変更された場合、選択された情報に対応する印刷ドキュメントの印刷設定情報を変更し、選択されていない情報に対応する印刷ドキュメントの印刷設定情報については変更しないことを特徴とする情報処理装置。
【請求項２】
前記表示制御手段により表示される前記プレビュー画面は、前記第１印刷ドキュメントに関する第１情報と前記第２印刷ドキュメントに関する第２情報とが表示された状態で１枚の用紙の面に配置されるページの数を示す割り付け印刷設定の変更、及び、両面印刷の指定の変更の少なくとも１つを受け付けることを特徴とする請求項１に記載の情報処理装置。
【請求項３】
前記プレビュー画面は、印刷指示を受け付ける印刷受付部と、前記保存機能を受け付ける受付部とを提供することを特徴とする請求項１又は２に記載の情報処理装置。
【請求項４】
前記表示制御手段は、前記第１情報と前記第２情報として、前記第１印刷ドキュメントの名称と前記第２印刷ドキュメントの名称とを、前記プレビュー画面に表示させることを特徴とする請求項１乃至３の何れか１項に記載の情報処理装置。
【請求項５】
前記プレビュー画面は、１つのプレビューウィンドウであることを特徴とする請求項１乃至４の何れか１項に記載の情報処理装置。
【請求項６】
前記表示制御手段は、ユーザの表示切替指示に応じて、前記プレビュー画面に、既に印刷された前記第１印刷ドキュメントを表示するか、非表示にするかを切り替えることを特徴とする請求項１乃至５の何れか１項に記載の情報処理装置。
【請求項７】
情報処理装置が実行する情報処理方法であって、
プレビュー画面を表示する表示制御ステップと、
印刷ドキュメントの印刷設定情報を変更する印刷設定ステップと、
を含み、
前記表示制御ステップでは、
前記プレビュー画面を介して第１印刷ドキュメントに関する第１情報が選択され、かつ、前記プレビュー画面を介して保存機能が選択された場合、前記第１印刷ドキュメントの印刷後に前記第１印刷ドキュメントに関する第１情報を前記プレビュー画面に表示させ、
前記プレビュー画面を介して前記第１情報が選択され、かつ、前記プレビュー画面を介して前記保存機能が選択されていない場合、前記第１印刷ドキュメントの印刷後に前記第１印刷ドキュメントに関する第１情報は前記プレビュー画面に表示されず、
前記第１情報と、前記第１印刷ドキュメントとは異なる第２印刷ドキュメントに関する第２情報とが前記プレビュー画面に含まれる場合、前記第１情報、又は前記第２情報から選択された情報に対応する印刷ドキュメントの印刷プレビュー画像を前記プレビュー画面に表示させ、
前記印刷設定ステップでは、
前記第１情報、又は前記第２情報の何れかが前記プレビュー画面にて選択され、かつ、印刷設定情報が変更された場合、選択された情報に対応する印刷ドキュメントの印刷設定情報を変更し、選択されていない情報に対応する印刷ドキュメントの印刷設定情報については変更しないことを特徴とする情報処理方法。
【請求項８】
コンピュータに、
プレビュー画面を表示する表示制御ステップを実行させ、
前記プレビュー画面を介して第１印刷ドキュメントに関する第１情報が選択され、かつ、前記プレビュー画面を介して保存機能が選択された場合、前記第１印刷ドキュメントの印刷後に前記第１印刷ドキュメントに関する第１情報が前記プレビュー画面に表示され、
前記プレビュー画面を介して前記第１情報が選択され、かつ、前記プレビュー画面を介して保存機能が選択されていない場合、前記第１印刷ドキュメントの印刷後に前記第１印刷ドキュメントに関する第１情報は前記プレビュー画面に表示されず、
前記第１情報と、前記第１印刷ドキュメントとは異なる第２印刷ドキュメントに関する第２情報とがプレビュー画面に含まれる場合、前記第１情報、又は前記第２情報から選択された情報に対応する印刷ドキュメントの印刷プレビュー画像をプレビュー画面に表示させ、
前記第１情報、又は前記第２情報の何れかが前記プレビュー画面にて選択され、かつ、印刷設定情報が変更された場合、選択された情報に対応する印刷ドキュメントの印刷設定情報を変更し、選択されていない情報に対応する印刷ドキュメントの印刷設定情報については変更しないことを特徴とするプログラム。
【請求項９】
前記表示制御ステップにおいて表示される前記プレビュー画面は、前記第１印刷ドキュメントに関する第１情報と前記第２印刷ドキュメントに関する第２情報とが表示された状態で１枚の用紙の面に配置されるページの数を示す割り付け印刷設定の変更、及び、両面印刷の指定の変更の少なくとも１つを受け付けることを特徴とする請求項８に記載のプログラム。
【請求項１０】
前記プレビュー画面は、印刷指示を受け付ける印刷受付部と、前記保存機能を受け付ける受付部とを提供することを特徴とする請求項８又は９に記載のプログラム。
【請求項１１】
前記表示制御ステップでは、前記第１情報と前記第２情報として、前記第１印刷ドキュメントの名称と前記第２印刷ドキュメントの名称とを、前記プレビュー画面に表示させることを特徴とする請求項８乃至１０の何れか１項に記載のプログラム。
【請求項１２】
前記プレビュー画面は、１つのプレビューウィンドウであることを特徴とする請求項８乃至１１の何れか１項に記載のプログラム。
【請求項１３】
前記表示制御ステップでは、ユーザの表示切替指示に応じて、前記プレビュー画面に、既に印刷された前記第１印刷ドキュメントを表示するか、非表示にするかを切り替えることを特徴とする請求項８乃至１２の何れか１項に記載のプログラム。
【請求項１４】
情報処理装置であって、
ＸＭＬ  Ｐａｐｅｒ  Ｓｐｅｃｉｆｉｃａｔｉｏｎ形式（ＸＰＳ形式）の印刷ドキュメントを処理可能なプリンタドライバの設定画面においてプレビュー設定が有効化された場合、印刷ドキュメントのプレビュー画像を含むプレビュー画面を表示する表示制御手段を有し、
前記プレビュー画面を介して第１印刷ドキュメントに関する第１情報が選択され、かつ、印刷後に印刷ドキュメントが前記情報処理装置に保存される所定の機能が前記プレビュー画面を介して選択された場合、前記第１印刷ドキュメントの印刷後に前記第１印刷ドキュメントに関する第１情報をプレビュー画面に表示させ、
前記プレビュー画面を介して前記第１情報が選択され、かつ、前記プレビュー画面を介して前記所定の機能が選択されていない場合、前記第１印刷ドキュメントの印刷後に前記第１印刷ドキュメントに関する第１情報は前記プレビュー画面に表示されず、
前記第１情報と、前記第１印刷ドキュメントとは異なる第２印刷ドキュメントに関する第２情報とを含む前記プレビュー画面から、前記第１情報、又は前記第２情報の何れかが選択され、かつ、印刷設定情報が変更された場合、選択された情報に対応する印刷ドキュメントの印刷設定情報を変更し、選択されていない情報に対応する印刷ドキュメントの印刷設定情報については変更しないことを特徴とする情報処理装置。
【請求項１５】
前記表示制御手段により表示される前記プレビュー画面は、前記第１印刷ドキュメントに関する第１情報と前記第２印刷ドキュメントに関する第２情報とが表示された状態で１枚の用紙の面に配置されるページの数を示す割り付け印刷設定の変更、及び、両面印刷の指定の変更の少なくとも１つを受け付けることを特徴とする請求項１４に記載の情報処理装置。
【請求項１６】
前記プレビュー画面は、印刷指示を受け付ける印刷受付部と、前記所定の機能を受け付ける受付部とを提供することを特徴とする請求項１４又は１５に記載の情報処理装置。
【請求項１７】
前記表示制御手段は、前記第１情報と前記第２情報として、前記第１印刷ドキュメントの名称と前記第２印刷ドキュメントの名称とを、前記プレビュー画面に表示させることを特徴とする請求項１４乃至１６の何れか１項に記載の情報処理装置。
【請求項１８】
コンピュータに、
ＸＭＬ  Ｐａｐｅｒ  Ｓｐｅｃｉｆｉｃａｔｉｏｎ形式（ＸＰＳ形式）の印刷ドキュメントを処理可能なプリンタドライバの設定画面においてプレビュー設定が有効化された場合、印刷ドキュメントのプレビュー画像を含むプレビュー画面を表示する表示制御ステップを実行させ、
前記プレビュー画面を介して第１印刷ドキュメントに関する第１情報が選択され、かつ、印刷後に印刷ドキュメントが前記コンピュータに保存される所定の機能が前記プレビュー画面を介して選択された場合、前記第１印刷ドキュメントの印刷後に前記第１印刷ドキュメントに関する第１情報が前記プレビュー画面に表示され、
前記プレビュー画面を介して前記第１情報が選択され、かつ、前記プレビュー画面を介して前記所定の機能が選択されていない場合、前記第１印刷ドキュメントの印刷後に前記第１印刷ドキュメントに関する第１情報は前記プレビュー画面に表示されず、
前記第１情報と、前記第１印刷ドキュメントとは異なる第２印刷ドキュメントに関する第２情報とを含む前記プレビュー画面から、前記第１情報、又は前記第２情報の何れかが選択され、かつ、印刷設定情報が変更された場合、選択された情報に対応する印刷ドキュメントの印刷設定情報が変更され、選択されていない情報に対応する印刷ドキュメントの印刷設定情報は変更されないことを特徴とするプログラム。
【請求項１９】
前記表示制御ステップにおいて表示される前記プレビュー画面は、前記第１印刷ドキュメントに関する第１情報と前記第２印刷ドキュメントに関する第２情報とが表示された状態で１枚の用紙の面に配置されるページの数を示す割り付け印刷設定の変更、及び、両面印刷の指定の変更の少なくとも１つを受け付けることを特徴とする請求項１８に記載のプログラム。
【請求項２０】
前記プレビュー画面は、印刷指示を受け付ける印刷受付部と、前記所定の機能を受け付ける受付部とを提供することを特徴とする請求項１８又は１９に記載のプログラム。
【請求項２１】
前記表示制御ステップでは、前記第１情報と前記第２情報として、前記第１印刷ドキュメントの名称と前記第２印刷ドキュメントの名称とを、前記プレビュー画面に表示させることを特徴とする請求項１８乃至２０の何れか１項に記載のプログラム。
【手続補正２】
【補正対象書類名】明細書
【補正対象項目名】０００６
【補正方法】変更
【補正の内容】
【０００６】
そこで、本発明の情報処理装置は、プレビュー画面を表示する表示制御手段と、印刷ドキュメントの印刷設定情報を変更する印刷設定手段と、を有し、前記表示制御手段は、前記プレビュー画面を介して第１印刷ドキュメントに関する第１情報が選択され、かつ、前記プレビュー画面を介して保存機能が選択された場合、前記第１印刷ドキュメントの印刷後に前記第１印刷ドキュメントに関する第１情報を前記プレビュー画面に表示させ、前記プレビュー画面を介して前記第１情報が選択され、かつ、前記プレビュー画面を介して前記保存機能が選択されていない場合、前記第１印刷ドキュメントの印刷後に前記第１印刷ドキュメントに関する第１情報は前記プレビュー画面に表示されず、前記第１情報と、第２印刷ドキュメントに関する第２情報とが前記プレビュー画面に含まれる場合、前記第１情報、又は前記第２情報から選択された情報に対応する印刷ドキュメントの印刷プレビュー画像を前記プレビュー画面に表示させ、前記印刷設定手段は、前記第１情報、又は前記第２情報の何れかが前記プレビュー画面にて選択され、かつ、印刷設定情報が変更された場合、選択された情報に対応する印刷ドキュメントの印刷設定情報を変更し、選択されていない情報に対応する印刷ドキュメントの印刷設定情報については変更しないことを特徴とする。
本発明の情報処理装置は、ＸＭＬ  Ｐａｐｅｒ  Ｓｐｅｃｉｆｉｃａｔｉｏｎ形式（ＸＰＳ形式）の印刷ドキュメントを処理可能なプリンタドライバの設定画面においてプレビュー設定が有効化された場合、印刷ドキュメントのプレビュー画像を含むプレビュー画面を表示する表示制御手段を有し、前記プレビュー画面を介して第１印刷ドキュメントに関する第１情報が選択され、かつ、印刷後に印刷ドキュメントが前記情報処理装置に保存される所定の機能が前記プレビュー画面を介して選択された場合、前記第１印刷ドキュメントの印刷後に前記第１印刷ドキュメントに関する第１情報をプレビュー画面に表示させ、前記プレビュー画面を介して前記第１情報が選択され、かつ、前記プレビュー画面を介して前記所定の機能が選択されていない場合、前記第１印刷ドキュメントの印刷後に前記第１印刷ドキュメントに関する第１情報は前記プレビュー画面に表示されず、前記第１情報と、前記第１印刷ドキュメントとは異なる第２印刷ドキュメントに関する第２情報とを含む前記プレビュー画面から、前記第１情報、又は前記第２情報の何れかが選択され、かつ、印刷設定情報が変更された場合、選択された情報に対応する印刷ドキュメントの印刷設定情報を変更し、選択されていない情報に対応する印刷ドキュメントの印刷設定情報については変更しないことを特徴とする。